(57)【要約】      （修正有）【課題】上下方向と左右方向の光量のアンバランスを調整する花形のレンズフードをレンズ鏡筒に、誤装着の恐れなく取付けする簡潔な取付け構造を提供する。【解決手段】レンズ鏡筒１５の外周面上であってその上下の部分に突条２１を円周方向に延びるように形成し、突条２１の中央部であって上下の位置にそれぞれ被当接部を構成する突部２２を形成しておき、これに対してレンズ鏡筒１５の内周面側にはその長面１７の中心とほぼ一致する位置に対して円周方向の両側にそれぞれ、上記鏡筒１５の突条２１の幅に相当する距離だけ離れた状態で一対の突条２５、２６を形成し、その互いに逆方向の端部に折曲部２７を形成する。上記突条２６の内側に鏡筒１５の突条２１を当接させた状態で、レンズフード１６を矢印３７の方向に回転させて突条２１を両側の突条２５、２６で狭着する。さらに突条２５、２６の溝部２８に対して突条２１の突起２３を係合させて係止する。【選択図】図１０
2006251176.tif 000002
【特許請求の範囲】
【請求項１】
長面と短面とを円周方向に沿ってほぼ９０度間隔で交互に設けた花形レンズフードを、レンズ鏡筒にバヨネット機構を介して取付けるようにしたレンズフードの取付け構造において、
前記レンズ鏡筒の外周面上に、円周方向に延びる被係合部を設けるとともに、該被係合部の長さ方向の中央部に光軸方向に突出する被当接部を形成し、
前記レンズフードの内周面上に、光軸方向に対して前記被係合部の幅とほぼ等しい間隔を隔てて、しかも前記被係合部の長さとほぼ等しい距離だけ円周方向にずれて一対の係合部を形成し、該係合部の互いに反対側の端部に互いに向合うように光軸方向に突出する当接部を形成し、
前記レンズフードを前記レンズ鏡筒に対して正方向または逆方向に嵌合するとともに、前記レンズ鏡筒の被係合部を前記レンズフードの一方の係合部と当接させ、前記レンズフードを前記係合部の長さのほぼ半分に相当する角度回転させて、前記一対の係合部によって前記被係合部を狭着することを特徴とするレンズフードの取付け構造。
【請求項２】
前記レンズフードは長面が上下に位置し、かつ短面が左右に位置した状態で前記レンズ鏡筒に結合されることを特徴とする請求項１に記載のレンズフードの取付け構造。
【請求項３】
前記レンズフードは長面が上下に位置し、かつ短面が左右に位置した状態で、逆方向に向けて前記レンズ鏡筒に結合されて収納されることを特徴とする請求項１に記載のレンズフードの取付け構造。
【請求項４】
前記レンズ鏡筒の被係合部は、該レンズ鏡筒の上下のほぼ中央部に被当接部が一致するように配される突条から構成されることを特徴とする請求項１に記載のレンズフードの取付け構造。
【請求項５】
前記レンズフードの係合部は、該レンズフードの上下のほぼ中央部に対してその円周方向の両側にずれるように、上下に一対ずつ形成された突条であることを特徴とする請求項４に記載のレンズフードの取付け構造。
【請求項６】
前記鏡筒側に被係止部が設けられるとともに、前記レンズフード側に係止部が設けられ、正方向または逆方向に前記レンズフードが正しく取付けられると、前記係止部が前記被係止部を係止することを特徴とする請求項１に記載のレンズフードの取付け構造。
【請求項７】
前記被係止部が突起であるとともに、前記係止部が凹部であることを特徴とする請求項６に記載のレンズフードの取付け構造。
【請求項８】
前記係止部が前記レンズフードの内周面に形成された係合部を構成する突条に形成された溝部であることを特徴とする請求項６に記載のレンズフードの取付け構造。
【発明の詳細な説明】
【技術分野】
【０００１】
本発明はレンズフードの取付け構造に係り、とくに長面と短面とを円周方向に沿ってほぼ９０度間隔で交互に設けた花形レンズフードを、レンズ鏡筒にバヨネット機構を介して取付けるようにしたレンズフードの取付け構造に関する。
【背景技術】
【０００２】
一般にスチルカメラやビデオカメラ等の画枠は長方形の形状をなしている。これに対して光学系は円形をなしている。従って上下からの光の入射量と左右からの光の入射量が等しい場合には、上下の部分の方が相対的に単位面積当たりの光量が増加し、これによって上下方向と左右方向の画枠上における光量分布に差異を生ずる。このような差異を解消するために、いわゆる花形レンズフードが用いられる。
【０００３】
花形レンズフードは、基端側が円形であって先端側は花びら状をなし、互いに９０度間隔で長面と短面とを交互に形成し、正しい姿勢で鏡筒に取付けられると、長面が上下に位置し、短面が左右に位置するようにしており、長面と短面の突出量を調整することによって、画枠上における上下方向と左右方向の光量の分布を適正な値に調整できるようになる。
【０００４】
特開２００１−２６４８５１号公報には、基端部位が円筒形をなし先端部位が花びら形をなすレンズフードを撮影レンズ鏡筒に対しバヨネット機構を介して着脱自在に装着可能に設けられたレンズフード装置であって、バヨネット機構は鏡筒の先端部位に円周方向へ配設された３つの鏡筒側係合部と、これらと係合可能な如くレンズフードの基端部位に円周方向へ配設された３つのレンズ側係合部とからなり、緊密に係合し合う鏡筒側係合部とフード側係合部とのペアの内、一のペアにおけるレンズ光軸方向の係合寸法が他のペアにおける光軸方向の係合寸法とは異なる値に設定され、係合爪のサイズが小さく、カメラの外観不良を生じない上、撮影レンズ鏡筒へのレンズフード装着ミスを防止できるようにしたレンズフード装置が提案されている。
【０００５】
このようなレンズフード装置は、その取付け構造が非常に複雑になり、とくに爪を３重に作らなければならず、金型の構造が複雑になり、製造コストが上昇する欠点がある。一方で花形レンズフードが正しく装着されない場合には、光量の調整が正しく行なわれないばかりか、収納時における姿勢が不適正であると、ズームやフォーカス等のレンズリングの操作がし難くなる欠点がある。
【特許文献１】特開２００１−２６４８５１号公報
【特許文献２】特開２００２−４０５１７号公報
【発明の開示】
【発明が解決しようとする課題】
【０００６】
本願発明の課題は、正しく装着された場合に、上下方向と左右方向の光量分布を正しく調整することができるようにしたレンズフードの取付け構造を提供することである。
【０００７】
本願発明の別の課題は、収納姿勢で取付けられた場合に、レンズリングの操作が行ない易く、これによってカメラの操作性を損なわないようにしたレンズフードの取付け構造を提供することである。
【０００８】
本願発明のさらに別の課題は、レンズフードの取付けのための構造が簡潔であって、これによってコストの低減が図られるようにしたレンズフードの取付け構造を提供することである。
【０００９】
本願発明のさらに別の課題は、レンズ鏡筒部のレンズフードに対する取付け構造が簡潔であって、これによって鏡筒部のコストが増大しないようにしたレンズフードの取付け構造を提供することである。
【００１０】
本願は発明のさらに別の課題は、レンズフードの取付け時および使用時において、レンズフードがレンズ鏡筒に対して正しく取付けられ、誤装着の恐れがないようにしたレンズフードの取付け構造を提供することである。
【００１１】
本願発明のさらに別の課題は、必要以上の力を加えて回転操作を行なっても、取付け構造のための機構が損傷し難いレンズフードの取付け構造を提供することである。
【００１２】
本願発明の上記の課題および別の課題は、以下に述べる本願発明の技術的思想、およびその実施の形態によって明らかにされる。
【課題を解決するための手段】
【００１３】
本願の主要な発明は、長面と短面とを円周方向に沿ってほぼ９０度間隔で交互に設けた花形レンズフードを、レンズ鏡筒にバヨネット機構を介して取付けるようにしたレンズフードの取付け構造において、
前記レンズ鏡筒の外周面上に、円周方向に延びる被係合部を設けるとともに、該被係合部の長さ方向の中央部に光軸方向に突出する被当接部を形成し、
前記レンズフードの内周面上に、光軸方向に対して前記被係合部の幅とほぼ等しい間隔を隔てて、しかも前記被係合部の長さとほぼ等しい距離だけ円周方向にずれて一対の係合部を形成し、該係合部の互いに反対側の端部に互いに向合うように光軸方向に突出する当接部を形成し、
前記レンズフードを前記レンズ鏡筒に対して正方向または逆方向に嵌合するとともに、前記レンズ鏡筒の被係合部を前記レンズフードの一方の係合部と当接させ、前記レンズフードを前記係合部の長さのほぼ半分に相当する角度回転させて、前記一対の係合部によって前記被係合部を狭着することを特徴とするレンズフードの取付け構造に関するものである。
【００１４】
ここで、前記レンズフードは長面が上下に位置し、かつ短面が左右に位置した状態で前記レンズ鏡筒に結合されてよい。また前記レンズフードは長面が上下に位置し、かつ短面が左右に位置した状態で、逆方向に向けて前記レンズ鏡筒に結合されて収納されてよい。また前記レンズ鏡筒の被係合部は、該レンズ鏡筒の上下のほぼ中央部に被当接部が一致するように配される突条から構成されてよい。また前記レンズフードの係合部は、該レンズフードの上下のほぼ中央部に対してその円周方向の両側にずれるように、上下に一対ずつ形成された突条であってよい。
【００１５】
また前記鏡筒側に被係止部が設けられるとともに、前記レンズフード側に係止部が設けられ、正方向または逆方向に前記レンズフードが正しく取付けられると、前記係止部が前記被係止部を係止してよい。また前記被係止部が突起であるとともに、前記係止部が凹部であってよい。また前記係止部が前記レンズフードの内周面に形成された係合部を構成する突条に形成された溝部であってよい。
【００１６】
本願発明の好ましい態様は、レンズ鏡筒に対してバヨネット機構を介して着脱自在に取付けるようにしたカメラのレンズフードの装着構造に係り、とくに鏡筒の接続部に接続されるレンズフードの形状は、上下の部分と左右の部分とが違う花形のフードに関するものである。ここでレンズ鏡筒およびレンズフードのそれぞれの円周方向に爪が設けられ、これらの爪の組合わせによって接合されることを特徴としている。
【００１７】
レンズ鏡筒側の爪は、光軸方向と平行な面に対して少なくとも１つ以上設けられ、これに対してレンズフード側の爪は光軸方向と垂直な面に対して左右対称に、光軸方向と平行な面に対しては段違いに互いに分離して設けられており、一対の爪によってレンズ鏡筒側の爪を挾込んで固定するようにしている。しかもレンズフード部とレンズ鏡筒部とにそれぞれクリック部が設けられ、使用者に装着の完了を知らせるとともに、使用者の意図しないところでレンズフードがレンズ鏡筒から外れない構造を持つようにしている。
【００１８】
このような態様によると、レンズフードの収納時に、レンズフードの長面がレンズ鏡筒の上面に位置し、レンズ鏡筒のリング部の操作性を妨げることがなくなる。またレンズフードおよびレンズ鏡筒の構造が単純になり、これによって成形コストが安価になる。またレンズフードの使用時においても誤装着の恐れが少なくなる。
【発明の効果】
【００１９】
本願の主要な発明は、長面と短面とを円周方向に沿ってほぼ９０度間隔で交互に設けた花形レンズフードを、レンズ鏡筒にバヨネット機構を介して取付けるようにしたレンズフードの取付け構造において、レンズ鏡筒の外周面上に、円周方向に延びる被係合部を設けるとともに、該被係合部の長さ方向の中央部に光軸方向に突出する被当接部を形成し、レンズフードの内周面上に、光軸方向に対して被係合部の幅とほぼ等しい間隔を隔てて、しかも被係合部の長さとほぼ等しい距離だけ円周方向にずれて一対の係合部を形成し、該係合部の互いに反対側の端部に互いに向合うように光軸方向に突出する当接部を形成し、レンズフードをレンズ鏡筒に対して正方向または逆方向に嵌合するとともに、レンズ鏡筒の被係合部をレンズフードの一方の係合部と当接させ、レンズフードを係合部の長さのほぼ半分に相当する角度回転させて、一対の係合部によって被係合部を狭着するようにしたものである。
【００２０】
従ってこのようなレンズフードの取付け構造によれば、レンズフードをレンズ鏡筒に対して正方向または逆方向に嵌合させ、レンズ鏡筒の被係合部に対してレンズフードの一方の係合部を当接させ、レンズフードを係合部の長さ方向の半分に相当する角度回転させることによって、レンズフード側の一対の係合部によってレンズ鏡筒側の被係合部が狭着されるようになり、これによってレンズフードはレンズ鏡筒の上に取付けられた状態で確実に保持されるようになる。従って簡潔な構造によってしかも確実に正しい姿勢でレンズフードを取付けることが可能になる。
【発明を実施するための最良の形態】
【００２１】
以下本願発明を図示の一実施の形態によって説明する。図１は本実施の形態に係るレンズフードを用いる電子スチルカメラの全体の構造を示しており、撮像素子を受光部とする直方体状のカメラ本体１０の側部には、前方に膨出したグリップ部１１が連設されている。またカメラ本体１０の上部にはファインダ１２が設けられており、このファインダ１２によって被写体の映像を覗いて確認できるようにしている。
【００２２】
カメラ本体１０の前方であってそのほぼ中央部には円筒状をなす鏡筒１５が連設されている。鏡筒１５はその先端側にレンズフード１６を着脱可能に取付けるようにしている。レンズフード１６は合成樹脂の成形体によって構成されており、その基端側の部分が円筒状をなしている。これに対してレンズフード１６の先端側は花形をなしており、上下に一対の長面１７が連設されるとともに、左右には一対の短面１８が形成されている。これらの長面１８によって上下方向からの光量を絞込むとともに、左右からの光量の絞込みを抑えるようにしており、これによって横長の長方形の画枠に対する上下方向と左右方向の光量分布の均一化を図るようにしている。
【００２３】
レンズフード１６は、図１に示すように、使用状態で装着される場合には、図２に示すように、レンズ鏡筒１５の外周面に形成される被係合部２１を挾むように、レンズフード１６側の係合部２５、２６が狭着するようにしている。このときに被係合部２１の前面側に係合部２６が位置し、被係合部２１の後側に係合部２５が位置するようになっている。
【００２４】
レンズフード１６は図３に示すように、使用時とは逆方向に向けて鏡筒１５の外周面上に収納される。このときには図４に示すように、鏡筒１５側の被係合部２１は係合部２５、２６によって狭着され、被係合部２１に対してその前方に係合部２５が位置し、後側に係合部２６が位置することになる。
【００２５】
レンズ鏡筒１５の外周面上にレンズフード１６を装着したときに、レンズフード１６の長面１７が上下に位置し、これによって鏡筒１５の外周面上におけるズームおよびフォーカスのレンズリングの操作を容易にしている。
【００２６】
次に、上記レンズフード１６をレンズ鏡筒１５に取付けるための取付け構造について説明すると、図５および図６に示すようにレンズ鏡筒１５の先端側であってその外周面上には、円周方向に延びる突条２１が形成されており、この突条２１が被係合部を構成している。そして突条２１の長さ方向の中間位置であってレンズ鏡筒１５の上部と下部のほぼ中央部に位置するように、光軸方向に突出する突部２２が形成されている。突部２２が被当接部を構成している。また上記突部２２の両側には、突起２３がそれぞれ形成され、被係止部を構成している。なおこのような構成がレンズ鏡筒１５の外周面であってその上下の部分にそれぞれ形成されている。
【００２７】
これに対してレンズフード１６側には図７〜図９に示すように、その基端側の内周面上に、突条２５、２６が互いに円周方向に、上記レンズ鏡筒１５の突条２１の長さとほぼ等しい距離だけずれて形成されている。しかもこれらの突条２５、２６は互いに光軸方向にずれている。すなわち上記鏡筒１５側の突条２１を受入れる寸法に相当する長さ（突条２１の幅）だけ光軸方向に離れている。そしてこれらの突条２５、２６が係合部を構成している。また上記突条２５、２６の円周方向の互いに反対側の端部に折曲部２７が光軸方向に折曲げて形成されており、当接部を構成している。また上記突条２５、２６上には溝部２８が形成され、これらの溝部２８がそれぞれ係止部を構成している。
【００２８】
このように本実施の形態においては、カメラ本体１０の前端部に取付けられたレンズ鏡筒１５に対して、カメラ本体１０とは反対側にレンズフード１６が取付けられる。レンズフード１６はレンズ鏡筒１５との接続面が円形であって、遮光のための先端側の形状は花形形状になっており、レンズフード１６の長面１７がカメラ本体１０に対して上面にくるように、短面１８は横方向にくるように取付けられる。そして使用時においては図２に示すように、レンズフード１６に取付けられた突条２５、２６によって鏡筒１５側の突条２１を挾むことによって固定されるようになる。
【００２９】
一方レンズフード１６を収納する場合には図３に示すように、向きを逆にしてレンズ鏡筒１５の外周面上に、長面１７が上側になるように取付けるようにしている。しかも収納時においては、図４に示すように、レンズフード１６の一対の突条２５、２６によってレンズ鏡筒１５の突条２１が狭着されて固定される。
【００３０】
レンズ鏡筒１５の周囲に沿って、レンズフード１６を固定するために突条２１が設けられており、しかもレンズフード１６を正しい位置に装着固定するための突部２２がその中央部において光軸方向に突出して設けられている。
【００３１】
これに対してレンズフード１６側には、とくに図９に示すように、その接続部位にレンズフード１６を固定するための突条２５、２６と、誤装着防止用の折曲部２７と、装着完了を示すクリック感を出すための溝部２８とが形成される。
【００３２】
とくに図９に示すレンズフード１６の展開図において、矢印３５はこのレンズフードの長面１７の先端側の方向を示しており、長面１７の頂点に対してその両側にそれぞれ突条２５、２６が設けられている。一方の突条２５はレンズフード１６の基端面に近接しており、その左端に誤装着防止用の折曲部２７と、装着完了を示すクリック感を出すための溝部２８とを備えている。もう一方の突条２６は、矢印３５側に、突条２５から上記レンズ鏡筒１５の突条２１の光軸方向の幅と同程度の間隔をあけて形成されており、しかもその右端には、矢印３５とは反対側、すなわち基端側に折曲する折曲部２７が形成され、さらにこの突条２６には溝部２８が形成されている。
【００３３】
このようなレンズフード１６の係合構造が、レンズ鏡筒１５の外周面上の係合構造と係合される。鏡筒１５側には図６に示すように、レンズフード１６を固定するための突条２１と、レンズフード１６を正しい位置で装着固定するための突部２２と、装着完了のクリック感を出すための一対の突起２３とが設けられている。なお点線３６はレンズ鏡筒の上部の中心を示している。従って突条２１はカメラの上部の中心に対して左右対称に設けられることになる。
【００３４】
次に、このようなレンズフード１６をレンズ鏡筒１５上に装着する動作を説明する。使用状態でレンズフード１６を装着する場合には、レンズフード１６の花びらが鏡筒１５とは反対側の方向になるようにし、レンズ鏡筒１５に対してレンズフード１６の突条２６の側端がレンズ鏡筒１５の突条２１の側端に当接するように（図１０Ａ参照）嵌込む。そしてこの後に、矢印３７の方向にレンズフード１６を回転させる。これによってレンズフード１６とレンズ鏡筒１５の相対位置の関係は図１０Ｂに示すようになる。ここでレンズフード１６の一対の突条２５、２６がレンズ鏡筒１５の突条２１の両側に位置するようになり、しかも突部２２に対してレンズフード１６側の突条２５の端部が接する。
【００３５】
この状態において、レンズフード１６の溝部２８とレンズ鏡筒１５の突起２３とが、図１２Ａに示す状態から図１２Ｂに示す状態に変化し、突起２３が溝部２８に落込んでクリック感を発生する。従って使用者は装着状態であることをこのクリック感によって知ることができる。このときにレンズフード１６の上面の長面１７がレンズ鏡筒１５の上部に位置し、正しい装着状態になる（図１参照）。
【００３６】
上記のような装着動作の際に、レンズフード１６を図１０Ａにおいて逆方向、すなわち矢印３８の方向へ回転させようとすると、レンズ鏡筒１５の突条２１の右端にレンズフード１６の突条２６の右端の折曲部２７が当接し、レンズフード１６の回転が不能になる。従ってレンズフード１６を誤って逆方向に回転させても、誤装着をされることはない。
【００３７】
またレンズフード１６を逆方向に向けて収納するために、鏡筒１５の外周部に装着する場合には、図１１Ａに示すように、レンズフード１６の突条２５をレンズ鏡筒１５の突条２１に当接するようにレンズフード１６を光軸方向から鏡筒１５に嵌込む。そしてこの状態で矢印３９で示す方向にレンズフード１６を回転させると、図１１Ｂに示す状態になり、レンズ鏡筒１５の突条２１がレンズフード１６の両側の突条２５、２６によって狭着された状態になる。しかもこのときにも、レンズフード１６の突条２５、２６の溝部２８内に、鏡筒１５の突条２１の突起２３が落込んでクリック感を生じ（図１２Ｂ参照）、装着完了を確認できる。装着を完了すると、レンズフード１６の長面１７がレンズ鏡筒１５の上部と一致するようになり、これによってレンズ鏡筒１５のズーム操作やフォーカス動作に対して、レンズフード１６の長面１７が邪魔にならなくなる。
【００３８】
以上本願発明を図示の実施の形態によって説明したが、本願発明は上記実施の形態によって限定されることなく、本願に含まれる発明の技術的思想の範囲内において各種の変更が可能である。例えば上記実施の形態における鏡筒１５上における突条２１の位置やレンズフード１６の内周面上における突条２５、２６の長さ、位置、数等については、任意に設計変更が可能である。
【産業上の利用可能性】
【００３９】
本願発明は、電子スチルカメラ、銀塩フィルムスチルカメラ、ビデオカメラ等の各種の撮像装置におけるレンズフードの取付け構造に広く利用できる。
【図面の簡単な説明】
【００４０】
【図１】電子スチルカメラの外観斜視図である。
【図２】同レンズフードの取付け構造を示す一部を破断した側面図である。
【図３】レンズフードを逆向きにしてレンズ鏡筒上に収納した状態のカメラの斜視図である。
【図４】同レンズフードの保持機構を示す一部を破断した側面図である。
【図５】レンズ鏡筒の先端部の要部斜視図である。
【図６】レンズ鏡筒上におけるレンズフードの取付け構造を示す展開平面図である。
【図７】レンズフードの外観斜視図である。
【図８】レンズフードを逆方向から見たときの斜視図である。
【図９】レンズフードの内周面上における取付け構造を示す斜視図である。
【図１０】レンズ鏡筒に対するレンズフードの装着の動作を示す展開平面図である。
【図１１】レンズ鏡筒上におけるレンズフードの収納動作を示す展開平面図である。
【図１２】突起と溝部とによる係止構造を示す要部拡大縦断面図である。
【符号の説明】
【００４１】
１０…カメラ本体、１１…グリップ部、１２…ファインダ、１５…鏡筒、１６…レンズフード、１７…長面、１８…短面、２１…突条（被係合部）、２２…突部（被当接部）、２３…突起（被係止部）、２５、２６…突条（係合部）、２７…折曲部（当接部）、２８…溝部（係止部）、３５…矢印、３６…点線、３７〜３９…矢印
【図１】
2006251176.tif 000003
【図２】
2006251176.tif 000004
【図３】
2006251176.tif 000005
【図４】
2006251176.tif 000006
【図５】
2006251176.tif 000007
【図６】
2006251176.tif 000008
【図７】
2006251176.tif 000009
【図８】
2006251176.tif 000010
【図９】
2006251176.tif 000011
【図１０】
2006251176.tif 000012
【図１１】
2006251176.tif 000013
【図１２】
2006251176.tif 000014